(57)【要約】  画像投影装置には、前方画像と後方画像とを表示するディスプレイの接触面において、視野角制御材から構成したディスプレイ接触部と、前記前方画像の表示位置に対応して、前記ディスプレイ接触部に対して傾斜角度で設けた、透過性を有する反射材から構成した第１板と、前記後方画像の表示位置に対応して、前記ディスプレイ接触部に対して前記傾斜角度で設けた、反射材から構成した第２板とが設けられている。
2013031819.tif 000002
【特許請求の範囲】
【請求項１】
前方画像と後方画像とを表示するディスプレイの接触面において、視野角制御材から構成したディスプレイ接触部と、
前記前方画像の表示位置に対応して、前記ディスプレイ接触部に対して傾斜角度で設けた、透過性を有する反射材から構成した第１板と、
前記後方画像の表示位置に対応して、前記ディスプレイ接触部に対して前記傾斜角度で設けた、反射材から構成した第２板と
を設けたことを特徴とする画像投影装置。
【請求項２】
前記第１板の反射率を、前記第２板の反射率より低くしたことを特徴とする請求項１に記載の画像投影装置。
【請求項３】
前記ディスプレイ接触部の対面領域に光を取り込む透光性材を設けたことを特徴とする請求項１または２に記載の画像投影装置。
【請求項４】
外光を取り込む開口部と、前記開口部から取り込んだ外光を前記透光性材に誘導するための反射材を設けたことを特徴とする請求項３に記載の画像投影装置。
【請求項５】
前記前方画像と後方画像を閲覧するための開口窓を備え、前記開口窓に視野角制御材を設けたことを特徴とする請求項１〜４のいずれか一つに記載の画像投影装置。
【請求項６】
前記ディスプレイ接触部において、前記ディスプレイに対して、接触時に特定の電気特性変化を与える形状部を備えたことを特徴とする請求項１〜５のいずれか一つに記載の画像投影装置。
【請求項７】
前記形状部に対して、配線を介して接続された操作部を備えたことを特徴とする請求項６に記載の画像投影装置。
【発明の詳細な説明】
【技術分野】
【０００１】
本発明は、二次元画像の虚像を用いて、三次元画像を表示するための画像投影装置に関する。
【背景技術】
【０００２】
複数のハーフミラーを用いて三次元映像を表示する技術が検討されている（例えば、特許文献１、２参照）。この特許文献１に記載された技術では、ハーフミラーの両側から背景と映像の合成映像により、立体感がある映像を表示する映像装置が開示されている。この映像装置では、対向させた２つの映像表示装置と、これら２つの映像表示装置の間に傾斜して設置されたハーフミラーを備える。【０００３】
また、特許文献２に記載された技術では、一枚の二次元映像面を複数の映像領域に分割して個別の映像を表示し、これに複数のハーフミラーを一定に傾斜させて配置する。そして、観測者の視線方向に対して虚像が重なって見えることで三次元映像を表示する。
【先行技術文献】
【特許文献】
【０００４】
【特許文献１】特開平８−１２２６９５号公報（第１頁、図１）
【特許文献２】特開２００６−１３５３７８号公報（第１頁、図１）
【発明の概要】
【発明が解決しようとする課題】
【０００５】
上述のような画像投影装置を用いて、ハーフミラーによる虚像を重ね合わせることにより、利用者に対して、立体感がある画像を提供することができる。しかしながら、画像投影装置の内部構造が見えたり、利用者に見せたい虚像以外の像が見えたりすると、視覚効果が劣化してしまう。従って、視覚効果を高く維持するために、不必要な画像や構造を、外部から見えないように遮蔽する必要がある。【０００６】
一方、今日では、スマートフォンやタブレット端末等、映像を出力機器が多く利用されている。このような外部の映像出力機器を利用して三次元画像を出力できると便利である。しかしながら、光源と一体化した画像投影装置と異なり、内部構造を遮蔽することは考慮されていなかった。【０００７】
本発明は、上記課題を解決するためになされたものであり、その目的は、簡易な構造を用いて、視覚効果の高い三次元画像を出力するための画像投影装置を提供することにある。
【課題を解決するための手段】
【０００８】
上記問題点を解決するために、請求項１に記載の発明は、前方画像と後方画像とを表示するディスプレイの接触面において、視野角制御材から構成したディスプレイ接触部と、前記前方画像の表示位置に対応して、前記ディスプレイ接触部に対して傾斜角度で設けた、透過性を有する反射材から構成した第１板と、前記後方画像の表示位置に対応して、前記ディスプレイ接触部に対して前記傾斜角度で設けた、反射材から構成した第２板とを設けたことを要旨とする。【０００９】
請求項２に記載の発明は、請求項１に記載の画像投影装置において、前記第１板の反射率を、前記第２板の反射率より低くしたことを要旨とする。
請求項３に記載の発明は、請求項１または２に記載の画像投影装置において、前記ディスプレイ接触部の対面領域に光を取り込む透光性材を設けたことを要旨とする。【００１０】
請求項４に記載の発明は、請求項３に記載の画像投影装置において、外光を取り込む開口部と、前記開口部から取り込んだ外光を前記透光性材に誘導するための反射材を設けたことを要旨とする。【００１１】
請求項５に記載の発明は、請求項１〜４のいずれか一つに記載の画像投影装置において、前記前方画像と後方画像を閲覧するための開口窓を備え、前記開口窓に視野角制御材を設けたことを要旨とする。【００１２】
請求項６に記載の発明は、請求項１〜５のいずれか一つに記載の画像投影装置において、前記ディスプレイ接触部において、前記ディスプレイに対して、接触時に特定の電気特性変化を与える形状部を備えたことを要旨とする。【００１３】
請求項７に記載の発明は、請求項６に記載の画像投影装置において、前記形状部に対して、配線を介して接続された操作部を備えたことを要旨とする。
（作用）
請求項１に記載の発明によれば、第１板、第２板を介して前方画像と後方画像とにより、３次元画像を生成することができる。そして、視野角制御材から構成したディスプレイ接触部により、内部構造を外部から遮蔽することができるので、臨場感を向上させることができる。【００１４】
請求項２に記載の発明によれば、第２板により反射した後方画像を、第１板を透過して閲覧することができる。
請求項３に記載の発明によれば、透光性材により光が取り込まれ、内部空間をライトアップして、立体効果を促進させることができる。【００１５】
請求項４に記載の発明によれば、外光を用いて、効率的に内部空間をライトアップすることができる。
請求項５に記載の発明によれば、開口窓の視野角制御材により、内部空間を遮蔽して、立体効果を演出することができる。【００１６】
請求項６に記載の発明によれば、ディスプレイに対して、接触時に特定の電気特性変化を与えることができるので、この電気特性変化に応じて、画像再生を制御することができる。【００１７】
請求項７に記載の発明によれば、配線を介して接続された操作部から電気特性変化を与え、この電気特性変化に応じて、画像再生を制御することができる。
【発明の効果】
【００１８】
本発明によれば、簡易な構造を用いて、視覚効果の高い三次元画像を出力するための画像投影装置を提供することができる。
【図面の簡単な説明】
【００１９】
【図１】本発明の第１の実施形態の画像投影装置の斜視図であって、（ａ）は上面方向からの斜視図、（ｂ）は底面方向からの斜視図。
【図２】本発明の画像投影装置の説明図であって、（ａ）は上面図、（ｂ）は正面図、（ｃ）は側面図、（ｄ）は背面図、（ｅ）は底面図。
【図３】本発明の画像投影装置の断面図。
【図４】本発明の画像投影装置の使用時の説明図。
【図５】本発明の第２の実施形態の画像投影装置の説明図。
【図６】本発明の第３の実施形態の画像投影装置の説明図。
【図７】本発明の他の実施形態の画像投影装置の斜視図。
【図８】本発明の他の実施形態の画像投影装置における画像再生処理の説明図。
【発明を実施するための形態】
【００２０】
（第１の実施形態）
以下、本発明を具体化した第１の実施形態を、図１〜図４に基づいて説明する。本実施形態では、図１に示す画像投影装置１０を用いる。図１（ａ）、（ｂ）は、それぞれ、本実施形態の画像投影装置１０の上面方向及び底面方向からの斜視図である。
【００２１】
図１（ａ）に示すように、画像投影装置１０は、本体を設置するため底面部１１ａを備えている。この底面部１１ａには、正面部１１ｂ、左右の側面部１１ｃが接続されている。ここで、正面部１１ｂの左右の端部は、左右の側面部１１ｃの正面側端部に接続されている。
【００２２】
また、左右の側面部１１ｃの背面側端部には、正面部１１ｂに対向して、図１（ｂ）に示すように背面部１１ｄが設けられている。この背面部１１ｄと底面部１１ａとの間には、開口部１３が設けられている。
【００２３】
図１（ａ）に示すように、正面部１１ｂの上辺と、左右の側面部１１ｃの正面側端部には、底面部１１ａに対して所定の角度（本実施形態では４５度）で傾斜されたハーフミラー１４（透過性を有する反射材から構成された第１板）が狭持されている。本実施形態では、ハーフミラー１４は、反射率と透過率とがほぼ等しいものを用いる。
【００２４】
更に、ハーフミラー１４、左右の側面部１１ｃ、背面部１１ｄの各上辺には、上面部１１ｅが接続されている。この上面部１１ｅには、図１（ｂ）に示すように、開口部１６が設けられている。更に、上面部１１ｅのディスプレイ接触部には、開口部１６を覆うように、視野角制御フィルム１７が取り付けられている。この視野角制御フィルム１７は、正面から所定角度の視野範囲の光のみを透過するとともに、所定角度より大きい角度から入射する光の透過を抑制する視野角制御材である。例えば、羽板（ルーバー）を並行配列されたシートの両面を、透明性の高いフィルムで一体化したフィルムを用いることができる。本実施形態では、視野角が狭く、主に正面からの入射光のみを透過する視野角制御材を用いる。
【００２５】
図２には、画像投影装置１０の六面図を示している。ここで、図２（ａ）は上面図、（ｂ）は正面図、（ｃ）は側面図、（ｄ）は背面図、（ｅ）は底面図である。
図３及び図４は、画像投影装置１０の断面図を示している。この画像投影装置１０の内部において、底面部１１ａ上には、反射材１２ａが設けられている。更に、この反射材１２ａに対向して、対面領域に光を取り込む採光部１２ｂが設けられている。この採光部１２ｂは、透光性材（例えば、光を柔らかく拡散する曇りガラス材等）により構成する。この採光部１２ｂは、正面部１１ｂ、左右の側面部１１ｃに接続されている。そして、反射材１２ａを備えた底面部１１ａ、採光部１２ｂ、正面部１１ｂ、左右の側面部１１ｃにより、開口部１３が開放された空間が形成されている。
【００２６】
更に、画像投影装置１０の内部には、ハーフミラー１４に並行してミラー１５（反射材から構成された第２板）が設けられている。このミラー１５は、全反射ミラーにより構成されており、採光部１２ｂ、左右の側面部１１ｃ、上面部１１ｅに接続されている。
【００２７】
本実施形態では、正面方向に対して、ハーフミラー１４の正面側端部の位置が、開口部１６の正面側端部（ディスプレイ２１の一端部）の位置に一致するように配置されている。また、ハーフミラー１４の背面側端部の位置が、開口部１６の中央位置に一致するように配置されている。更に、正面方向に対して、ミラー１５の正面側端部の位置が、開口部１６の中央位置（ディスプレイ２１の中央）に一致するように配置されている。また、ミラー１５の背面側端部の位置が、開口部１６の背面側端部の位置（ディスプレイ２１の他端部）に一致するように配置されている。
【００２８】
（作用）
画像投影装置１０を使用する場合には、図４に示すように、画像を出力するディスプレイ２１を備えた画像再生端末２０を用いる。この画像再生端末２０のディスプレイ２１には、表示画面を上下二つの領域に分割し、それぞれの領域に別個の画像（２２、２３）を出力する。ここでは、歌手を表示した前方の画像２２（前方画像）と、背景を表示した後方の画像２３（後方画像）とを出力する場合を想定する。
【００２９】
そして、画像再生端末２０のディスプレイ２１を、画像投影装置１０の視野角制御フィルム１７に向けて密着させる。この場合、画像２２はミラー１５に投影されて、虚像３２を生成する。また、画像２３はミラー１５に投影されて、虚像３３を生成する。この場合、画像（２２、２３）と、ハーフミラー１４、ミラー１５の位置関係により、虚像３３は虚像３２の後方に生成される。
【００３０】
更に、画像投影装置１０の開口部１３から、外光が画像投影装置１０内に侵入する。この外光は、反射材１２ａにより反射され、採光部１２ｂを介して、ハーフミラー１４、ミラー１５によって囲まれた空間に取り込まれる。
【００３１】
本実施形態によれば、以下のような効果を得ることができる。
（１）上記実施形態では、画像投影装置１０は、正面側にハーフミラー１４、背面側にミラー１５を設ける。これにより、画像再生端末２０のディスプレイ２１に出力された画像の虚像３３は虚像３２の後方に生成される。これにより、正面側から虚像（３２、３３）を閲覧した場合、その位置関係により、三次元配置の立体感がある画像を生成することができる。従って、外付けの画像再生端末２０を用いて、簡単に立体画像を提供することができる。
【００３２】
（２）上記実施形態では、画像投影装置１０は、画像再生端末２０のディスプレイ２１を密着させる部分に視野角制御フィルム１７を設ける。これにより、画像投影装置１０の上面斜め方向から内部を覗き込んだ場合においても、内部構造を見ることができない。従って、利用者から内部構造や途中画像を遮蔽し、閉じられた空間を演出することができる。
【００３３】
（３）上記実施形態では、虚像（３２、３３）が生成される空間は、側面部１１ｃにより囲まれている。閉じられた空間での臨場感を出すことができる。更に、ハーフミラー１４の面と、側面部１１ｃの正面側端部の位置が一致しており、ハーフミラー１４の外側で、外部風景が視界に入ることになる。これにより、虚像との遠近感や開放感があり、更に臨場感を向上させることができる。
【００３４】
（４）上記実施形態では、画像投影装置１０は、開口部１３を設け、内部に採光部１２ｂを備える。これにより、画像投影装置１０の内部に、採光部１２ｂを介して、外光が取り込まれるので、画像投影装置１０内の空間が薄くライトアップされ、立体効果を促進させることができる。更に、画像投影装置１０の内部に、反射材１２ａを設けることにより、外光の取り込みの効率性を向上させることができる。
【００３５】
（第２の実施形態）
次に、本発明を具体化した第２の実施形態を図５に基づいて説明する。上記第１の実施形態においては、画像再生端末２０を水平にして、画像投影装置１０に設置した。本実施形態では、画像再生端末２０を立脚させた状態で、図５に示す画像投影装置１０ａを用いる。具体的には、クレードル８０に挿入して画像再生端末２０を立脚させた状態で、画像投影装置１０ａをディスプレイ２１上に密着させる。クレードル８０は、スタンド型の拡張機器であり、画像投影装置１０を載せるだけで接続することができ、画像再生端末２０のデータ同期、ファイル送受信、充電等を行なうために使われる。
【００３６】
この画像投影装置１０ａは、ディスプレイ２１に密着させる視野角制御フィルム４１に対して、ミラー４２、ハーフミラー４３、ミラー４４が、それぞれ４５度の角度で並行して接続されている。更に、ハーフミラー４３の外側端部と、視野角制御フィルム４１との間には、視野角制御フィルム４５が設けられている。この視野角制御フィルム４５は、視野角制御フィルム４１に対してほぼ垂直方向に設けられている。この視野角制御フィルム４５も、正面から所定の角度の視野範囲の光のみを透過するとともに、所定角度より大きい角度から入射する光の透過を抑制する。
【００３７】
図５には図示されていないが、画像投影装置１０ａには、画像再生端末２０のディスプレイ２１に面する開放部が設けられている。そして、本実施形態においても、ミラー４２の下端部の位置が、開口部の下端部（ディスプレイ２１の下端部）の位置に一致するように配置されている。また、ミラー４２の上端部の位置が、開口部の中央位置に一致するように配置されている。更に、ハーフミラー４３の下端部の位置が、開口部の中央位置（ディスプレイ２１の中央）に一致するように配置されている。また、ハーフミラー４３の上端部の位置が、開口部１６の上端部の位置（ディスプレイ２１の上端部）に一致するように配置されている。ミラー４４は、その下端部が、開口部１６の上端部の位置（ディスプレイ２１の上端部）に接続されている。画像投影装置１０ａは、視野角制御フィルム４１の対向面側に、ミラー４４の位置に対応して開口窓４６が形成されている。
【００３８】
（作用）
画像投影装置１０ａを使用する場合には、図５に示すように、画像再生端末２０のディスプレイ２１を、視野角制御フィルム４１に向けて密着させる。この場合も、この画像再生端末２０のディスプレイ２１には、表示画面を上下二つの領域に分割し、それぞれの領域に別個の画像（２２、２３）を出力する。
【００３９】
この画像２２は、ハーフミラー４３、ミラー４４に投影されて虚像３２を生成する。また、画像２３は、ミラー４２に投影され、ハーフミラー４３を透過し、ミラー４４によって反射されて虚像３３を生成する。この場合、虚像３２は、画像２２からミラー４４までの光路長だけ、ミラー４４から後方に生成される。一方、虚像３３は、画像２３からミラー４４までの光路長だけ、ミラー４４から後方の位置に生成される。
【００４０】
本実施形態によれば、以下の効果を得ることができる。
（５）上記実施形態では、画像投影装置１０ａは、下側にミラー４２、上側にハーフミラー４３を設ける。これにより、虚像３３は虚像３２の後方に生成される。これにより、正面側から虚像（３２、３３）を閲覧した場合、その位置関係により、三次元配置の立体感がある画像を生成することができる。従って、外付けの画像再生端末２０を用いて、簡単に立体画像を提供することができる。
【００４１】
（６）上記実施形態では、画像投影装置１０ａは、視野角制御フィルム（４１、４５）を設ける。これにより、利用者が、画像投影装置１０ａの斜め方向から内部を覗き込んだ場合においても、内部構造を見ることができない。従って、利用者から内部構造や途中画像を遮蔽し、閉じられた空間を演出することができる。
【００４２】
（７）上記実施形態では、クレードル８０に挿入して画像再生端末２０を立脚させた状態で、画像投影装置１０ａをディスプレイ２１上に密着させる。これにより、画像再生端末２０の保管、データ同期、ファイル送受信や充電等を行ないながら、立体画像を提供することができる。
【００４３】
（第３の実施形態）
次に、本発明を具体化した第３の実施形態を図６に基づいて説明する。上記第２の実施形態においては、ミラー（４２、４４）、ハーフミラー４３を用いて、虚像（３２、３３）を生成した。本実施形態では、虚像と画像（実像）とを用いて、三次元画像を出力する。この場合にも、画像再生端末２０を立脚させた状態で、図６に示す画像投影装置１０ｂを用いる。この場合にも、クレードル８０に挿入して画像再生端末２０を立脚させる。
【００４４】
この画像投影装置１０ｂは、ディスプレイ２１に密着させる視野角制御フィルム５１に対して、ミラー５２、ハーフミラー５３が、それぞれ４５度の角度で並行して接続されている。更に、ハーフミラー５３の外側端部と視野角制御フィルム５１との間には、視野角制御フィルム５５が設けられている。この視野角制御フィルム５５は、視野角制御フィルム５１に対してほぼ垂直方向に設けられている。この視野角制御フィルム５５も、正面から所定の角度の視野範囲の光のみを透過するとともに、所定角度より大きい角度から入射する光の透過を抑制する。
【００４５】
図６には図示されていないが、画像投影装置１０ｂには、画像再生端末２０のディスプレイ２１に面する開放部が設けられている。そして、本実施形態においても、ミラー５２の下端部の位置が、開口部の下端部（ディスプレイ２１の下端部）の位置に一致するように配置されている。また、ミラー５２の上端部の位置が、開口部の中央位置に一致するように配置されている。更に、ハーフミラー５３の下端部の位置が、開口部の中央位置（ディスプレイ２１の中央）に一致するように配置されている。また、ハーフミラー５３の上端部の位置が、開口部１６の上端部の位置（ディスプレイ２１の上端部）に一致するように配置されている。画像投影装置１０ｂは、視野角制御フィルム５１の対向面側に、ハーフミラー５３の位置に対応して開口窓５６が形成されている。
【００４６】
（作用）
画像投影装置１０ｂを使用する場合には、図６に示すように、画像再生端末２０のディスプレイ２１を、視野角制御フィルム５１に向けて密着させる。この場合も、この画像再生端末２０のディスプレイ２１には、上下二つの領域に分割され、それぞれの領域に別個の画像（２２、２３）を表示した画像を出力する。
【００４７】
この画像２２は、ハーフミラー５３を透過する。また、画像２３は、ミラー５２に投影されて、ハーフミラー５３によって反射されて、虚像３３を生成する。この場合、虚像３３は、画像２３からハーフミラー５３までの光路長だけ、ハーフミラー５３から後方の位置に生成される。
【００４８】
本実施形態によれば、上記（７）の記載の効果に加えて、以下の効果を得ることができる。
（８）上記実施形態では、画像投影装置１０ｂは、下側にミラー５２、上側にハーフミラー５３を設ける。これにより、画像再生端末２０のディスプレイ２１に出力された画像の虚像３３は画像２２の後方に生成される。これにより、正面側から画像２２、虚像３３を閲覧した場合、その位置関係により、三次元配置の立体感がある画像を生成することができる。特に、本実施形態では、第２の実施形態に比べて、ミラー数を減らすことができるので、外付けの画像再生端末２０を用いて、より簡単に立体画像を提供することができる。
【００４９】
（９）上記実施形態では、画像投影装置１０ａは、視野角制御フィルム（５１、５５）を設ける。これにより、画像投影装置１０ｂの斜め方向から内部を覗き込んだ場合においても、内部構造を見ることができない。従って、利用者から内部構造や途中画像を遮蔽し、閉じられた空間を演出することができる。
【００５０】
また、上記実施形態は、以下のように変更してもよい。
・  上記各実施形態においては、ハーフミラー（１４、４３、５３）には、反射率と透過率とがほぼ等しいものを用いるが、透過性がある材質であれば、比率は限定されるものではない。
【００５１】
・  上記各実施形態においては、画像再生端末２０を用いて、三次元画像を出力する。この画像再生端末２０には、スマートフォン、タブレット端末、液晶ディスプレイ、プラズマディスプレイなど、各種画像出力装置を用いることができる。
【００５２】
・  上記各実施形態においては、視野角制御フィルムを用いるが、視野角制御方法はフィルム材料に限定されるものではない。電気的に視野角を制御する視野角制御フィルタを用いることも可能である。この場合、例えば、タッチセンサを設けた視野角制御フィルタを用いる。この視野角制御フィルタにおいて、画像再生端末２０の接触を検知した場合、ディスプレイ２１の大きさを特定する。また、画像投影装置（１０、１０ａ、１０ｂ）内に、視野角制御フィルタ面を撮影する撮影部を設け、撮影画像により画像再生端末２０の大きさを特定するようにしてもよい。そして、視野角制御フィルタは、この大きさに応じて、ディスプレイ２１からはみ出した領域を不透過領域に変更する。
【００５３】
・  上記各実施形態においては、画像再生端末２０を画像投影装置（１０、１０ａ、１０ｂ）に密着させる。これに代えて、画像投影装置（１０、１０ａ、１０ｂ）に、予め画像出力装置を付属させよくことも可能である。
【００５４】
・  上記各実施形態においては、一又は二つの虚像を生成する。更に多くの虚像を生成できるようにしてもよい。この場合には、画像再生端末２０のディスプレイ２１の表示画面を、更に多くの領域に分割する。そして、画像投影装置において、各領域に対応して、ハーフミラーまたはミラーを設置する。この場合、後方画像を透過して見る必要がある領域にはハーフミラーを設置する。
【００５５】
・  上記各実施形態においては、透過性を有する反射材として、ハーフミラーを用いたが、反射材はこれに限定されるものではない。
・  上記第１の実施形態においては、開口部１３を設けて、外光を画像投影装置１０内に取り込む。これに代えて、画像投影装置１０に照明手段を設けて発光させるようにしてもよい。また、画像投影装置１０の背面側に開口部１３を設けたが、開口位置は背面に限定されるものではない。側面や正面から外光を取り込むようにしてもよい。また、外部に解放された開口部１３に限定されるものではなく、外光を取り込むことができる透過材、採光材を用いることも可能である。
【００５６】
・  上記第１の実施形態においては、この画像投影装置１０の内部においては、底面部１１ａ上には、反射材１２ａが設けられている。反射材１２ａの配置は、底面部１１ａ上に限定されるものではない。外光が採光部１２ｂに照射されるように、傾斜させて配置することも可能である。
【００５７】
・  上記第２、３の実施形態においては、ハーフミラー（４３、５３）の外側端部と、視野角制御フィルム（４１、５１）との間には、視野角制御フィルム（４５、５５）を設けた。ここで、視野角制御フィルム（４５、５５）を、画像投影装置（１０ａ、１０ｂ）の開口窓（４６、５６）の領域に設置してもよい。これにより、開口窓の視野角制御フィルムを介して、画像を閲覧することができるとともに、画像投影装置（１０ａ、１０ｂ）を閉空間とすることができ、利用者から内部構造や途中画像を遮蔽することができる。
【００５８】
・  上記各実施形態においては、画像再生端末２０のディスプレイ２１に出力された二つの画像により、虚像３３，３２を生成する。ここで、画像投影装置１０を用いて、画像再生端末２０のディスプレイ２１における画像再生を制御できるようにしてもよい。この場合には、図７に示すように、静電容量方式のディスプレイ２１に対して、視野角制御フィルム１７上の不可視領域１７０に、接触時に特定の電気特性変化（静電容量の変化）を与える形状部として、導電性の突起部６１ａ，６１ｂを設ける。
【００５９】
この不可視領域１７０としては、ディスプレイ２１において再生する複数の画面を分割する帯状の中間領域を用いる。この不可視領域１７０は、ディスプレイ２１に出力される別個の画像２２，２３に影響を与えない領域である。なお、不可視領域１７０は、画面を分割する中間領域に限定されるものではなく、画像２２，２３に影響を与えない領域を用いることができる。
【００６０】
また、図７においては、２個の突起部６１ａ，６１ｂを設けているが、その数は２個に限定されるものではない。この突起部６１ａ，６１ｂには、導電性シリコーンや導電性フォーム等のように、柔軟性がある導電性材料を用いることが可能である。これにより、ディスプレイ２１に密着させて電気的な接触を確実にするとともに、ディスプレイ２１の表面への傷付けを抑制することができる。
【００６１】
更に、画像投影装置１０において、外部から操作可能な領域に操作部を設ける。例えば、図７においては、正面部１１ｂに、操作部として操作ボタン６３ａ，６３ｂを設け、突起部６１ａ，６１ｂから配線６２ａ，６２ｂにより接続する。なお、操作ボタン６３ａ，６３ｂの場所は正面部１１ｂ上に限定されるものではなく、側面部１１ｃ上に設けることも可能である。
【００６２】
この配線６２ａ，６２ｂは、正面部１１ｂ、側面部１１ｃ等の内側に設けるとともに、タッチパネルディスプレイから絶縁しておく。更に、配線６２ａ，６２ｂは、静電気の帯電を防止するために、金属泊等のプレート状を用いるとともに、大気放電しやすいように全面的な被膜を有しないものが望ましい。
【００６３】
次に、画像再生端末２０における画像再生処理の制御手順を、図８を用いて説明する。この場合、画像再生端末２０に格納された画像再生プログラムにより、画像再生端末２０の制御部（ＣＰＵ）を画像再生手段として機能させる。
【００６４】
まず、画像再生端末２０の制御部は、容量検知を行なう（ステップＳ１）。この場合、画像再生端末２０は、不可視領域１７０における容量変化を検知する。ここでは、画像再生手段は、ディスプレイ２１の表面への突起部６１ａ，６１ｂの接触や、操作ボタン６３ａ，６３ｂにおける指の接触を容量変化により検知する。
【００６５】
次に、画像再生端末２０の制御部は、突起部に接触しているかどうかについての判定処理を実行する（ステップＳ２）。ここでは、画像再生手段は、検知した容量変化に基づいて、ディスプレイ２１の表面への突起部６１ａ，６１ｂの接触の有無を判定する。
【００６６】
ここで、突起部に接触していないと判定した場合（ステップＳ２において「ＮＯ」の場合）、画像再生端末２０の制御部は、画像再生を行なわない（ステップＳ３）。なお、画像再生中の場合には、ディスプレイ２１に表示された画像を消去するようにしてもよい。
【００６７】
一方、突起部に接触していると判定した場合（ステップＳ２において「ＹＥＳ」の場合）、画像再生端末２０の制御部は、画像再生端末２０に記録されている画像を再生する（ステップＳ４）。具体的には、画像再生手段は、図４に示すように、表示画面を上下二つの領域に分割し、それぞれの領域に別個の画像（２２、２３）を出力する。
【００６８】
更に、画像再生端末２０の制御部は、操作されたかどうかについての判定処理を実行する（ステップＳ５）。ここでは、画像再生手段は、検知した容量変化に基づいて、操作ボタン６３ａ，６３ｂにおける指の接触の有無を判定する。
【００６９】
ここで、操作されていないと判定した場合（ステップＳ５において「ＮＯ」の場合）、画像再生端末２０の制御部は、ステップＳ１の処理に戻る。
一方、操作されたと判定した場合（ステップＳ５において「ＹＥＳ」の場合）、画像再生端末２０の制御部は、操作に応じた処理を実行し（ステップＳ６）、ステップＳ１の処理に戻る。
【００７０】
これにより、利用者から投影状況や途中画像を遮蔽して、閉じられた空間で、利用者の操作に応じた画像再生を演出することができる。
なお、配線６２ａ，６２ｂ、操作ボタン６３ａ，６３ｂを設けず、視野角制御フィルム１７上の不可視領域１７０に突起部６１ａ，６１ｂを設けただけの構成としてもよい。この場合、画像再生手段は、ステップＳ１〜Ｓ４までの処理を実行して、ステップＳ１の処理に戻る。これにより、画像再生端末２０が画像投影装置１０に設置されて、突起部６１ａ，６１ｂへの接触を検知している場合のみ、画像を再生させることができる。
【００７１】
また、上記構成は、第２、第３の実施形態にも適用することが可能である。この場合には、視野角制御フィルム４１、視野角制御フィルム５１上において、不可視領域１７０に対応した領域に突起部６１ａ，６１ｂを設ける。
【符号の説明】
【００７２】
１０，１０ａ，１０ｂ…画像投影装置、１１ａ…底面部、１１ｂ…正面部、１１ｃ…側面部、１１ｄ…背面部、１１ｅ…上面部、１２ａ…反射材、１２ｂ…採光材、１３，１６…開口部、１４，４３，５３…ハーフミラー、１５，４２，４４，５２…ミラー、１７，４１，４５，５１，５５…視野角制御フィルム、２０…画像再生端末、２１…ディスプレイ、２２，２３…画像、３２，３３…虚像。４６，５６…開口窓、１７０…不可視領域、６１ａ，６１ｂ…突起部、６２ａ，６２ｂ…配線、６３ａ，６３ｂ…操作ボタン。
【図１】
2013031819.tif 000003
【図２】
2013031819.tif 000004
【図３】
2013031819.tif 000005
【図４】
2013031819.tif 000006
【図５】
2013031819.tif 000007
【図６】
2013031819.tif 000008
【図７】
2013031819.tif 000009
【図８】
2013031819.tif 000010
【手続補正書】
【提出日】平成25年12月11日(2013.12.11)
【手続補正１】
【補正対象書類名】特許請求の範囲
【補正対象項目名】請求項１
【補正方法】変更
【補正の内容】
【請求項１】
前方画像と後方画像とを表示する画像再生端末のディスプレイの表示画面に密着させる視野角制御材を設けたディスプレイ接触部と、
前記前方画像の表示位置に対応して、前記ディスプレイ接触部に対して傾斜角度で設けた、透過性を有する反射材から構成した第１板と、
前記後方画像の表示位置に対応して、前記ディスプレイ接触部に対して前記傾斜角度で設けた、反射材から構成した第２板と、
前記ディスプレイ接触部、前記第１板及び前記第２板の側面に接続された側面部と
を設けたことを特徴とする画像投影装置。
【手続補正２】
【補正対象書類名】明細書
【補正対象項目名】０００８
【補正方法】変更
【補正の内容】
【０００８】
上記問題点を解決するために、請求項１に記載の発明は、前方画像と後方画像とを表示する画像再生端末のディスプレイの表示画面に密着させる視野角制御材を設けたディスプレイ接触部と、前記前方画像の表示位置に対応して、前記ディスプレイ接触部に対して傾斜角度で設けた、透過性を有する反射材から構成した第１板と、前記後方画像の表示位置に対応して、前記ディスプレイ接触部に対して前記傾斜角度で設けた、反射材から構成した第２板と、前記ディスプレイ接触部、前記第１板及び前記第２板の側面に接続された側面部とを設けたことを要旨とする。
【手続補正３】
【補正対象書類名】明細書
【補正対象項目名】００１３
【補正方法】変更
【補正の内容】
【００１３】
請求項７に記載の発明は、請求項６に記載の画像投影装置において、前記形状部に対して、配線を介して接続された操作部を備えたことを要旨とする。
（作用）
請求項１に記載の発明によれば、第１板、第２板を介して前方画像と後方画像とにより、３次元画像を生成することができる。そして、視野角制御材から構成したディスプレイ接触部、更にディスプレイ接触部、第１板及び第２板の側面に接続された側面部により、内部構造を外部から遮蔽することができるので、臨場感を向上させることができる。
【国際調査報告】
2013031819.tif 000011
2013031819.tif 000012
2013031819.tif 000013
2013031819.tif 000014